(57)【特許請求の範囲】
【請求項１】
ストリーミングデータのデータ信号を無線通信で他の装置に送信すると共に、データ信号の符号化形式毎の前記他の装置の消費電力に係る第１の消費電力情報と、前記他の装置に電力を供給する第１のバッテリの残容量を示す第１の電源情報とを前記他の装置から受信する無線通信部と、
自己の電力供給を行う第２のバッテリの残容量および自己の外部電源との接続の有無の少なくとも一方を示す第２の電源情報を検出する電源検出部と、
データ信号の符号化形式毎の自己の消費電力に係る第２の消費電力情報を取得する取得部と、
前記無線通信部が受信した前記第１の消費電力情報および前記第１の電源情報と前記第２の消費電力情報および前記第２の電源情報とに基づいて、前記他の装置との通信可能時間が最大となるデータ信号の符号化形式を選択する符号化形式選択部と、
ストリーミングデータとして、前記符号化形式選択部が選択した符号化形式のデータ信号を作成する符号化演算処理を行い、作成したデータ信号を前記無線通信部に出力する符号化制御部と
を備えることを特徴とする無線通信装置。
【請求項２】
前記符号化形式選択部は、前記符号化制御部及び前記他の装置が対応している符号化形式であって、前記他の装置の消費電力が最も小さい符号化形式を選択すること
を特徴とする請求項１記載の無線通信装置。
【請求項３】
前記第１の消費電力情報は、各符号化形式に対する、前記他の装置の無線通信及び復号化演算に要する消費電力の情報であること
を特徴とする請求項１記載の無線通信装置。
【請求項４】
前記符号化形式選択部は、さらに、前記符号化制御部及び前記他の装置が対応している符号化形式であって、前記他の装置との消費電力の和が最も小さくなる符号化形式を選択すること
を特徴とする請求項１記載の無線通信装置。
【請求項５】
前記第２の消費電力情報は、各符号化形式に対する、前記無線通信部による無線通信及び前記符号化制御部による符号化演算処理に要する消費電力の情報であること
を特徴とする請求項１記載の無線通信装置。
【請求項６】
前記符号化形式選択部は、前記符号化制御部がストリーミングデータの符号化演算処理を開始する前に符号化形式を選択すること
を特徴とする請求項１記載の無線通信装置。
【請求項７】
前記符号化形式選択部は、前記電源検出部が前記外部電源からの電力供給を検出したときに、符号化形式を選択すること
を特徴とする請求項１記載の無線通信装置。
【請求項８】
前記符号化形式選択部は、前記第１のバッテリ及び前記第２のバッテリの残容量の変化に応じて、符号化形式を選択すること
を特徴とする請求項１記載の無線通信装置。
【請求項９】
前記符号化形式選択部は、前記符号化制御部が符号化演算処理を行うストリーミングデータの区切りで符号化形式を選択すること
を特徴とする請求項７または８記載の無線通信装置。
【請求項１０】
前記符号化形式選択部が選択する符号化形式は、符号化方式及び前記符号化制御部の符号化演算に要するパラメータのうちの少なくとも１つ以上に係ること
を特徴とする請求項１乃至請求項９のいずれか１項記載の無線通信装置。
【請求項１１】
ストリーミングデータのデータ信号を送信する第１の無線通信装置と、
前記第１の無線通信装置からストリーミングデータのデータ信号を受信する第２の無線通信装置と
を備える無線通信システムであって、前記第１の無線通信装置は、
該第１の無線通信装置を駆動する電力を供給する第１のバッテリの残容量および該第１の無線通信装置への外部電源の接続の有無の少なくとも一方を示す第１の電源情報を検出する第１の電源検出部と、
データ信号の符号化型式毎の前記第１の無線通信装置の消費電力に係る第１の消費電力情報を取得する第１の取得部と、
ストリーミングデータのデータ信号を無線通信で前記第２の無線通信装置に送信する第１の無線通信部と、
前記第１の無線通信部で送信するデータ信号の符号化形式を選択する符号化形式選択部と、
ストリーミングデータとして、前記符号化形式選択部で選択した符号化形式のデータ信号を作成する符号化演算処理を行い、作成したデータ信号を前記第１の無線通信部に出力する符号化制御部と
を備え、前記第２の無線通信装置は、
該第２の無線通信装置を駆動する電力を供給する第２のバッテリの残容量を示す第２の電源情報を検出する第２の電源検出部と、
前記第１の無線通信装置からストリーミングデータのデータ信号を無線通信で受信する第２の無線通信部と、
前記第２の無線通信部で受信したデータ信号を復号する復号化制御部と、
前記第２の無線通信部で受信するデータ信号の符号化形式毎の前記第２の無線通信装置の消費電力に係る第２の消費電力情報を取得する第２の取得部と
を備え、
前記第２の無線通信部は、前記第２の電源情報および前記第２の消費電力情報を前記第１の無線通信装置に送信し、
前記第１の無線通信部は、前記第２の無線通信装置から前記第２の電源情報および前記第２の消費電力情報を受信し、
前記符号化形式選択部は、前記第１の電源情報および前記第１の消費電力情報と前記第１の無線通信部が受信した前記第２の電源情報および前記第２の消費電力情報とに基づいて前記第２の無線通信装置との通信可能時間が最大となるデータ信号の符号化形式を選択すること
を特徴とする無線通信システム。
【請求項１２】
前記符号化形式選択部が選択する符号化形式は、符号化方式及び前記符号化制御部の符号化演算に要するパラメータのうちの少なくとも１つ以上に係ること
を特徴とする請求項１１記載の無線通信システム。
【発明の詳細な説明】
【技術分野】
【０００１】
本発明は、無線通信装置及び無線通信システムに関する。
【背景技術】
【０００２】
近年、バッテリで駆動する無線通信装置間で無線通信を行うシステムが考えられており、特に音声データや映像データのストリーミングデータを伝送してユーザが視聴するシステムが考えられている。例えば、音楽再生装置で音楽データを再生し、Ｂｌｕｅｔｏｏｔｈ（登録商標）等の無線通信で伝送して、ワイヤレスヘッドフォンで視聴するシステムである。
【０００３】
このようなシステムでは、自装置が有するバッテリの残容量に応じて通信可能時間を延ばす制御を行うことが多い（例えば、特許文献１参照）。特許文献１には、画像データのエンコード処理又はデコード処理を行う無線画像通信装置であって、電池電圧の降下を検出した場合にエンコードするフレーム数を低減して電池駆動時間を延ばすことのできる無線画像通信装置が開示されている。
【特許文献１】特開２００５−２２９３６３号公報
【発明の開示】
【発明が解決しようとする課題】
【０００４】
しかしながら、自装置のみならず、通信相手の無線通信装置もバッテリ駆動している場合を考えると、バッテリ残容量や駆動時間は、搭載しているバッテリの容量や通信開始時のバッテリ残容量、其々の装置での消費電力などに応じて異なるのが普通である。これにより、自装置のバッテリがまだ十分に残っていたとしても、通信相手の装置のバッテリが無くなると、ユーザはストリーミングデータの視聴をすることができなくなる。特許文献１記載の手法は自装置のバッテリ残量を考慮するだけであり、このような課題を解決することはできない。
【０００５】
ところで、ストリーミングデータを伝送する無線通信装置には、複数の符号化方式（エンコード方式）に対応した装置が多い。さらにこのような無線通信装置は、符号化方式毎に消費電力が異なるのが通常であり、さらに同じ符号化方式であっても、無線通信装置のソフトウェア、ハードウェア構成によって其々消費電力が異なるのが通常である。
【０００６】
そこで本発明は、符号化方式を選択することによりストリーミングデータの視聴時間を延ばすことのできる無線通信装置及び無線通信システムを提供することを目的とする。
【課題を解決するための手段】
【０００７】
上記目的を達成するために、実施形態に係る無線通信装置は、ストリーミングデータのデータ信号を無線通信で他の装置に送信すると共に、データ信号の符号化形式毎の前記他の装置の消費電力に係る第１の消費電力情報と、前記他の装置に電力を供給する第１のバッテリの残容量を示す第１の電源情報とを前記他の装置から受信する無線通信部と、自己の電力供給を行う第２のバッテリの残容量および自己の外部電源との接続の有無の少なくとも一方を示す第２の電源情報を検出する電源検出部と、データ信号の符号化形式毎の自己の消費電力に係る第２の消費電力情報を取得する取得部と、前記無線通信部が受信した前記第１の消費電力情報および前記第１の電源情報と前記第２の消費電力情報および前記第２の電源情報とに基づいて、前記他の装置との通信可能時間が最大となるデータ信号の符号化形式を選択する符号化形式選択部と、ストリーミングデータとして、前記符号化形式選択部が選択した符号化形式のデータ信号を作成する符号化演算処理を行い、作成したデータ信号を前記無線通信部に出力する符号化制御部とを備えることを特徴とする。
【０００８】
実施形態に係る無線通信システムは、ストリーミングデータのデータ信号を送信する第１の無線通信装置と、前記第１の無線通信装置からストリーミングデータのデータ信号を受信する第２の無線通信装置とを備える無線通信システムであって、前記第１の無線通信装置は、該第１の無線通信装置を駆動する電力を供給する第１のバッテリの残容量および該第１の無線通信装置への外部電源の接続の有無の少なくとも一方を示す第１の電源情報を検出する第１の電源検出部と、データ信号の符号化型式毎の前記第１の無線通信装置の消費電力に係る第１の消費電力情報を取得する第１の取得部と、ストリーミングデータのデータ信号を無線通信で前記第２の無線通信装置に送信する第１の無線通信部と、前記第１の無線通信部で送信するデータ信号の符号化形式を選択する符号化形式選択部と、ストリーミングデータとして、前記符号化形式選択部で選択した符号化形式のデータ信号を作成する符号化演算処理を行い、作成したデータ信号を前記第１の無線通信部に出力する符号化制御部とを備え、前記第２の無線通信装置は、該第２の無線通信装置を駆動する電力を供給する第２のバッテリの残容量を示す第２の電源情報を検出する第２の電源検出部と、前記第１の無線通信装置からストリーミングデータのデータ信号を無線通信で受信する第２の無線通信部と、前記第２の無線通信部で受信したデータ信号を復号する復号化制御部と、前記第２の無線通信部で受信するデータ信号の符号化形式毎の前記第２の無線通信装置の消費電力に係る第２の消費電力情報を取得する第２の取得部とを備え、前記第２の無線通信部は、前記第２の電源情報および前記第２の消費電力情報を前記第１の無線通信装置に送信し、前記第１の無線通信部は、前記第２の無線通信装置から前記第２の電源情報および前記第２の消費電力情報を受信し、前記符号化形式選択部は、前記第１の電源情報および前記第１の消費電力情報と前記第１の無線通信部が受信した前記第２の電源情報および前記第２の消費電力情報とに基づいて前記第２の無線通信装置との通信可能時間が最大となるデータ信号の符号化形式を選択することを特徴とする。
【発明の効果】
【０００９】
本発明によれば、符号化方式を選択することによりストリーミングデータの視聴時間を延ばすことのできる無線通信装置及び無線通信システムを提供することができる。
【発明を実施するための最良の形態】
【００１０】
以下、本発明の無線通信装置及び無線通信システムについて、図面を参照しながら説明する。
【実施例１】
【００１１】
図１は、本発明の無線通信システムの構成を示す図である。図1の無線通信システム１００は、音楽再生装置１と、ヘッドフォン２とから構成される。
音楽再生装置１は、記憶媒体を内部に有し、この記憶媒体に記憶された音声データをストリーミングデータとして符号化し、所定の符号化形式のデータ信号としてヘッドフォン２に無線通信により送信する。
【００１２】
ヘッドフォン２は、音楽再生装置１から受信したデータ信号を復号してスピーカから音声を出力する。
尚ここで、音楽再生装置１がヘッドフォン２に対して音声データのデータ信号を送信する無線通信はＢｌｕｅｔｏｏｔｈ通信によるものとする。本実施例では、音声データのデータ信号の通信をＡ２ＤＰ（Ａｄｖａｎｃｅｄ  Ａｕｄｉｏ  Ｄｉｓｔｒｉｂｕｔｉｏｎ  Ｐｒｏｆｉｌｅ）によるＢｌｕｅｔｏｏｔｈ通信で、音声データの再生や停止等を行うための制御信号の通信をＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）によるＢｌｕｅｔｏｏｔｈ通信で行うものとする。
【００１３】
さらに、ヘッドフォン２は音楽再生装置１に対して、自身のバッテリの残量情報（残容量情報）及び、自身の対応する符号化形式に応じた消費電力の情報（符号化形式別消費電力情報）を通知する機能を有する。尚、本実施例では、符号化方式と符号化パラメータを合わせたものを符号化形式と呼ぶこととする。
【００１４】
音楽再生装置１は、ヘッドフォン２から受信したバッテリの残量情報及び符号化形式別消費電力情報と、自身のバッテリの残量及び自身の持つ符号化形式別消費電力情報に基づいて、無線通信システム１００全体として通信可能時間（再生可能時間）が最も長くなる符号化形式を選択し、伝送する音声データのデータ信号を作成する。
【００１５】
尚、このようなバッテリの残量情報や符号化形式別消費電力情報の通知や取得に際しては、例えばＡＶＲＣＰにおいて各ベンダが拡張、定義可能なＶｅｎｄｅｒ  ｕｎｉｑｕｅコマンドや、Ｖｅｎｄｅｒ  ｄｅｐｅｎｄｅｎｔコマンドを使用すればよい。以降はＡＶＲＣＰを使用した場合として説明するが、この他に例えばＳＰＰ（Ｓｅｒｉａｌ  Ｐｏｒｔ  Ｐｒｏｆｉｌｅ）等を使用してこれらの情報の通知、取得ができるようにしても良い。
【００１６】
図２は、音楽再生装置１の構成を示す図である。音楽再生装置１は、制御部１０と、記憶部１１と、無線通信部１２と、表示部１３と、操作部１４と、バッテリ１５と、外部電源入力端子１６とから構成される。
【００１７】
音楽再生装置１は、バッテリ１５により駆動し、制御部１０が記憶部１１に記録された電力制御プログラム１１ｂ、無線通信制御プログラム１１ｂ、符号化プログラム１１ｃ、符号化形式選択プログラム１１ｄ、その他の図示しないプログラム等により制御することで動作する。特に、記憶部１１に記憶された音声データ１１ｆをストリーミングデータとして符号化プログラム１１ｃにより符号化し、データ信号を無線通信制御プログラム１１ｂの制御により無線通信部１２を介して無線送信する機能を有する。
【００１８】
制御部１０は、電力制御プログラム１１ａと、無線通信制御プログラム１１ｂと、符号化プログラム１１ｃと、符号化形式選択プログラム１１ｄとを記録部１１から読出し、音楽再生装置１を構成する各構成要素を制御する。制御部１０の例としては、例えばＣＰＵ（Ｃｅｎｔｒａｌ  Ｐｒｏｃｅｓｓｉｎｇ  Ｕｎｉｔ）等が挙げられる。
【００１９】
記憶部１１は、例えばＨＤＤ（Ｈａｒｄ  Ｄｉｓｋ  Ｄｒｉｖｅ）やフラッシュメモリ等の記憶媒体である。記憶部１１は、電力制御プログラム１１ａ、無線通信制御プログラム１１ｂ、符号化プログラム１１ｃ、符号化形式選択プログラム１１ｄ、符号化形式別消費電力情報１１ｅ、複数の音声データ１１ｆを記憶する。
【００２０】
電力制御プログラム１１ａは、バッテリ１５の残容量（電圧）を検出する機能を有する。さらに電力制御プログラム１１ａは、バッテリ１５が電力供給を行っているか、外部電源入力端子１６を介して外部電源３が電力供給を行っているかを判断する機能も有する。
【００２１】
無線通信制御プログラム１１ｂは、無線通信部１２を制御し、ヘッドフォン２との間でＢｌｕｅｔｏｏｔｈ通信を制御するためのプログラムである。即ち、無線通信部１２は、無線通信制御プログラム１１ｂによる制御の下、ヘッドフォン２との間でＢｌｕｅｔｏｏｔｈ通信の無線接続を確立し、データ信号や制御信号を通信する。
【００２２】
さらに、符号化プログラム１１ｃでの符号化演算処理の終了後や、バッテリ残量によりストリーミング伝送を継続できない場合には、無線通信制御プログラム１１ｂは、ヘッドフォン２との間の無線接続を切断する。このような切断処理を行うことにより、音楽再生装置１及びヘッドフォン２は、再生終了後も無線接続を維持するために必要な電力を消費せずに済む。
【００２３】
符号化プログラム１１ｃは、記憶部１１に記憶された音声データ１１ｆの符号化演算処理を行うプログラムである。より具体的には、符号化プログラム１１ｃは音声データ１１ｆを記憶部１１から読み出し、符号化形式選択プログラム１１ｄが選択した符号化方式及び符号化パラメータのデータ信号に変換する。当該符号化演算処理により符号化プログラム１１ｃが作成したデータ信号は、無線通信部１２に渡され、Ａ２ＤＰによるＢｌｕｅｔｏｏｔｈ通信でヘッドフォン２に送信される。
【００２４】
符号化プログラム１１ｃが対応し、データ信号に変換可能な符号化方式としては、例えばｍｐ３（ＭＰＥＧ−１  Ａｕｄｉｏ  Ｌａｙｅｒ  ３）やＡＡＣ（Ａｄｖａｎｃｅｄ  Ａｕｄｉｏ  Ｃｏｄｉｎｇ）、ＳＢＣ（Ｓｕｂ  Ｂａｎｄ  Ｃｏｄｅｃ）等が挙げられる。
【００２５】
また、符号化プログラム１１ｃが符号化する際の符号化パラメータは、本実施例では「高音質」「中音質」等の音質に係る１種類のパラメータだけであるが、これに限られるものではなく、複数のパラメータを有していても良い。符号化パラメータの例としては、例えばビットレート、サンプリング周波数、ステレオ／モノラル設定等が挙げられる。
【００２６】
符号化形式選択プログラム１１ｄは、符号化プログラム１１ｃ及びヘッドフォン２の両方が対応している符号化形式について、音楽再生装置１及びヘッドフォン２の其々に対して予測通信可能時間（予測再生可能時間）を計算し、予測通信可能時間の最も長い符号化形式を選択する。
【００２７】
このとき、無線通信部２２で受信した符号化形式別消費電力情報２１ｄ及びバッテリ２５の残量情報、電力制御プログラム１１ａで検出したバッテリ１５の残量、符号化形式別消費電力情報１１ｅに基づいて、符号化形式選択プログラム１１ｄは予測通信可能時間を計算する。
【００２８】
尚、音楽再生装置１及びヘッドフォン２の予測通信可能時間については、其々が有するバッテリの残量を、当該符号化形式における単位時間当たりの消費電力で除算すれば、その符号化形式での再生可能な時間である予測通信可能時間を算出することが可能である。当該符号化形式に対する無線通信システム１００全体としての予測通信可能時間は、両装置の予測通信可能時間のうち、短い方の時間となる。音楽再生装置１は、無線通信システム１００全体としての予測通信可能時間の最も長い符号化形式を選択する。
【００２９】
ここで、音楽再生装置１の電力供給源がバッテリ１５ではなく、外部電源３である場合（即ち、外部電源入力端子１６が外部電源３に接続されている場合）には、バッテリ１５の残量に関係ないので、音楽再生装置１の予測通信可能時間は無限大とみなすことができ、符号化形式選択プログラム１１ｄは、ヘッドフォン２の予測通信可能時間のみに基づいて符号化形式を選択すればよい。
【００３０】
符号化形式別消費電力情報１１ｅは、符号化プログラム１１ｃが対応する複数の符号化形式毎の単位時間当たりの消費電力量に係る情報である。より具体的には、音声データ１１ｆから符号化プログラム１１ｃがデータ信号を作成する符号化演算に必要な消費電力と、無線通信制御プログラム１１ｂによる制御の下、無線通信部１２がデータ信号を送信するのに必要な消費電力との和を示す値のテーブルである。つまり、ある符号化形式（符号化方式、符号化パラメータ）の消費電力＝符号化演算の消費電力＋無線通信の消費電力と表現できる。
【００３１】
ここで、記憶部１１に記憶する音声データ１１ｆの符号化方式と、符号化プログラム１１ｃが符号化し、無線通信部１２から送信するデータ信号の符号化方式が同じである場合には、符号化演算が不要となるので、消費電力は一般的に非常に小さくなる。例えば、音声データ１１ｆがｍｐ３に対応しており、ヘッドフォン２（後述する復号化プログラム２１ｃ）がｍｐ３の復号化に対応していれば、符号化方式の変換が不要となり、他の符号化方式に比べ、ｍｐ３の消費電力が最も小さくなることが多い。
【００３２】
尚、後述するが、ヘッドフォン２も同様の符号化形式別消費電力情報２１ｄを有する。本実施例中で音楽再生装置１は、この符号化形式別消費電力情報２１ｄを、ＢｌｕｅｔｏｏｔｈのプロファイルであるＡＶＲＣＰのＶｅｎｄｅｒ  ＵｎｉｑｕｅコマンドやＶｅｎｄｅｒ  ｄｅｐｅｎｄｅｎｔコマンドにより無線通信部１２で受信又は取得するが、先述の通りＳＰＰ等でコマンドを定義し、当該コマンドにより無線通信部１２で符号化形式別消費電力情報２１ｄを受信又は取得しても良い。
【００３３】
図４に、符号化形式別消費電力情報１１ｅの例を示す（後述する符号化形式別消費電力情報２１ｄも同様の形式となる）。図４の例では符号化方式として符号化プログラム１１ｃはｍｐ３、ＡＡＣ、ＳＢＣの各符号化方式に対応し、また、其々の符号化方式に対する符号化パラメータとして高音質及び中音質に対応している。
【００３４】
尚、ＳＢＣはＡ２ＤＰに必須の符号化方式であり、Ａ２ＤＰに対応したＢｌｕｅｔｏｏｔｈ無線通信装置であれば、ＳＢＣの符号化方式には必ず対応している。一方、Ａ２ＤＰではｍｐ３及びＡＡＣへの対応についてはオプションであり、Ａ２ＤＰに対応したＢｌｕｅｔｏｏｔｈ無線通信装置であっても、これらの符号化形式に対応しているとは限らない。
【００３５】
図４の符号化形式別消費電力情報１１ｅの例では、それぞれ単位時間当たりの消費電力（以下、単に消費電力と称することもある）は、符号化方式がｍｐ３で符号化パラメータが高音質の場合にＷａｈ、符号化方式がｍｐ３で符号化パラメータが中音質の場合にＷａｍ、符号化方式がＡＡＣで符号化パラメータが高音質の場合にＷｂｈ、符号化方式がＡＡＣで符号化パラメータが中音質の場合にＷｂｍ、符号化方式がＳＢＣで符号化パラメータが高音質の場合にＷｃｈ、符号化方式がＳＢＣで符号化パラメータが中音質の場合にＷｃｍである。
【００３６】
尚、本実施例では符号化パラメータとして高音質及び中音質を設定する音質に係る１種類の符号化パラメータしか符号化形式別消費電力情報１１ｅに記載されていないが、先述の通りこれに限られるものではない。例えば、ビットレート、サンプリング周波数、ステレオ／モノラル等のチャネル数等、複数種類のパラメータについて符号化プログラム１１ｃが対応し、又、符号化形式別消費電力情報１１ｅ内に記載されていてもよい。
【００３７】
音声データ１１ｆは、例えばｍｐ３やＳＢＣ等の所定の符号化形式で予め符号化され記憶部１１に記憶されている、音声に係るデータである。
無線通信部１２は、無線通信制御プログラム１１ｂによる制御の下、ヘッドフォン２と無線通信するための無線通信インタフェースである。先述の通り、無線通信１２はヘッドフォン２とＡ２ＤＰ及びＡＶＲＣＰによるＢｌｕｅｔｏｏｔｈ通信を行う。無線通信部１２はＡ２ＤＰにより音声データ１１ｆのデータ信号を送信し、ＡＶＲＣＰによりヘッドフォン２からリモコン制御信号、バッテリの残量情報、符号化形式別消費電力情報２１ｄ等を受信する。
【００３８】
表示部１３は、例えば再生中の音声データ１１ｆのタイトルやアーティスト名等の情報や、バッテリ１５の残量、現在のデータ信号の符号化方式及び符号化パラメータ等の情報を表示するための表示インタフェースである。表示部１３は、例えばＬＣＤ（Ｌｉｑｕｉｄ  Ｃｒｙｓｔａｌ  Ｄｉｓｐｌａｙ）や有機ＥＬ（ｅｌｅｃｔｒｏｌｕｍｉｎｅｓｃｅｎｃｅ）ディスプレイ等で構成される。
【００３９】
操作部１４は、音声データ１１ｆの再生や停止等の制御を行うためにユーザが操作する入力インタフェースである。操作部１４の例としては、例えば入力ボタンや、赤外線インタフェース等でリモコンからの信号を受信する受信素子等が考えられる。また、ＡＶＲＣＰによるＢｌｕｅｔｏｏｔｈ通信でヘッドフォン２から制御信号を送信することにより音声データ１１ｆの再生／停止等の指示を行っても良い。
【００４０】
バッテリ１５は、外部電源入力端子１６が外部電源３に接続されていない場合に、音楽再生装置１を構成する各構成要素に対して電力を供給する。ここで、バッテリ１５が供給可能な電力は有限である。外部電源入力端子１６が外部電源３に接続されているときには、バッテリ１５は外部電源３から電力供給を受けて充電する。
【００４１】
外部電源入力端子１６は、外部電源３に接続される接続端子であり、音楽再生装置１を構成する各構成要素に対し外部電源３からの直流電力を供給する。
図３は、ヘッドフォン２の構成を示す図である。ヘッドフォン２は、制御部２０と、記憶部２１と、無線通信部２２と、スピーカ２３と、操作部２４と、バッテリ２５とから構成される。
【００４２】
ヘッドフォン２は、バッテリ２５により駆動し、制御部２０が記憶部２１に記憶した電力制御プログラム２１ａ、無線通信制御プログラム２１ｂ、復号化プログラム２１ｃ、その他の図示しない制御プログラムにより制御することで動作する装置である。特に、無線通信部２２で受信した音声データ１１ｆのデータ信号を復号化プログラム２１ｃにより復号化し音声データとしてスピーカ２３に出力する機能を有した無線通信装置である。
【００４３】
制御部２０は、電力制御プログラム２１ａ、無線通信制御プログラム２１ｂ、復号化プログラム２１ｃ、その他の図示しない制御プログラムを記憶部２１から読出し、各構成要素を制御する。制御部２０の例としては、例えばＣＰＵ等が挙げられる。
【００４４】
記憶部２１は、例えばＨＤＤ（Ｈａｒｄ  Ｄｉｓｋ  Ｄｒｉｖｅ）やフラッシュメモリなどである。記憶部２１は、電力制御プログラム２１ａと、無線通信制御プログラム２１ｂと、復号化プログラム２１ｃと、符号化形式別消費電力情報２１ｄとを記憶する。
【００４５】
電力制御プログラム２１ａは、バッテリ２５の残量（電圧）を検出する機能を有するプログラムである。更に、電力制御プログラム２１ａは、このバッテリ２５の残容量に関する残量情報を、無線通信制御プログラム２１ｂにより音楽再生装置１へ向けて送信する機能を有する。
【００４６】
無線通信制御プログラム２１ｂは、無線通信部２２を制御するためのプログラムである。即ち、無線通信部２２は、無線通信制御プログラム２１ｂによる制御の下、音楽再生装置１との間でＡ２ＤＰ及びＡＶＲＣＰによるＢｌｕｅｔｏｏｔｈ無線接続を確立する。
【００４７】
復号化プログラム２１ｃは、音楽再生装置１から無線通信部２２で受信した音声データ１１ｆのデータ信号を復号化して音声信号を作成し、スピーカ２３から音声出力させる再生処理（復号化演算）を行う。
【００４８】
符号化形式別消費電力情報２１ｄは、復号化プログラム２１ｃが対応する複数の符号化形式毎の単位時間当たりの消費電力量に係る情報である。より具体的には、無線通信部２２で受信したデータ信号から復号化プログラム２１ｃにより音声信号を作成する復号化演算に必要な（単位時間当たりの）消費電力と、無線通信制御プログラム２１ｂによる制御の下、無線通信部２２がデータ信号を受信するのに必要な（単位時間当たりの）消費電力との和を示す消費電力のテーブルが符号化形式別消費電力情報２１ｄである。
【００４９】
先述の通り、無線通信部２２は、符号化形式別消費電力情報２１ｄをＡＶＲＣＰのＶｅｎｄｅｒ  ＵｎｉｑｕｅコマンドやＶｅｎｄｅｒ  ｄｅｐｅｎｄｅｎｔコマンドにより音楽再生装置１に送信する。尚、このとき無線通信部２２は符号化形式別消費電力情報２１の全ての項目を送信する必要はなく、テーブルの一部の符号化形式についてのみ音楽再生装置１に送信しても良い。
【００５０】
尚、先述のように符号化形式別消費電力情報２１ｄも、符号化形式別消費電力情報１１ｅと同様、図４のような形式となる。図４の例では復号化形式として復号化プログラム２１ｃはｍｐ３、ＡＡＣ、ＳＢＣの各符号化方式に対応し、また、其々の符号化方式に対する音質の符号化パラメータとして、高音質及び中音質に対応している。
【００５１】
図４の例での其々の符号化形式に対する消費電力は先述したのでここでは説明を省略する。符号化パラメータが複数であってもよい点についても、音楽再生装置１と同様であるのでここでは説明を省略する。
【００５２】
無線通信部２２は、無線通信制御プログラム２１ｂによる制御の下、音楽再生装置１と無線通信するための無線通信インタフェースである。音楽再生装置１からの音声データ１１ｆのデータ信号の受信、及び音楽再生装置１へのバッテリ２５の残量情報及び符号化形式別消費電力情報２１ｄの送信は、無線通信部２２を介して行われる。
【００５３】
スピーカ２３は、復号化プログラム２１ｃでの再生処理（復号化）によりデータ信号が復号化された音声信号により、音声の出力を行う。即ち、ユーザが音声データ１１ｆを視聴する際には、ユーザはスピーカ２３から出力される音声を聴くことになる。尚、本実施例では音声データ１１ｆの受信側の無線装置としてヘッドフォン型の機器を例として説明しているため、スピーカ２３をヘッドフォン２内の構成要素として説明しているが、これは音声出力部の一例であり、例えば音声出力端子（ヘッドフォンジャック等）を用意する構成にしても良い。
【００５４】
操作部２４は、音声データ１１ｆの再生や停止等の制御を行うためにユーザが操作する入力インタフェースである。操作部２４の例としては、例えば入力ボタン等が考えられる。これらの入力された再生、停止等の指示操作による制御信号は、ＡＶＲＣＰによるＢｌｕｅｔｏｏｔｈ通信で音楽再生装置１へ送信される。
【００５５】
バッテリ２５は、ヘッドフォン２を構成する各構成要素に対し、電力を供給する。ここで、バッテリ２５が供給可能な電力は、外部電源に接続されない限り有限である。
【００５６】
以下、本無線通信システム１００における動作について簡単に説明する。
ユーザが音楽再生装置１の操作部１４又はヘッドフォン２の操作部２４で、音楽再生装置１とヘッドフォン２との無線接続を指示する入力操作を行うと、無線通信制御プログラム１１ｂが制御する無線通信部１２及び無線通信制御プログラム２１ｂが制御する無線通信部２２は、例えばＢｌｕｅｔｏｏｔｈ通信のＡＶＲＣＰ及びＡ２ＤＰに定められた方法で接続し、リモコン制御信号や音声信号が双方向で無線通信可能な状態となる。
【００５７】
このとき、データ信号の送信に先立ち、ヘッドフォン２は復号化プログラム２１ｃが対応する符号化形式と各符号化形式に対する消費電力とにかかる符号化形式別消費電力情報２１ｄとを音楽再生装置１に送信する。
【００５８】
音楽再生装置１は、自らの符号化プログラム１１ｃが対応する符号化プログラム１１ｃの対応する符号化形式と各符号化形式に対する消費電力とにかかる符号化形式別消費電力情報１１ｅと、符号化形式別消費電力情報２１ｄとに基づき、データ信号の予想送信可能時間の最も長くなるように、符号化プログラム１１ｃで符号化するデータ信号の符号化方式と符号化パラメータを選択する。
【００５９】
このように、符号化形式選択プログラム１１ｄは、音楽再生装置１及びヘッドフォン２の両方の符号化方式毎の消費電力に基づいて符号化方式を選択するので、通信相手の状況を鑑みて省電力のための送信／受信制御が可能となる。さらには、無線通信システム１００全体として通信可能時間を長くすることが可能となる。
【００６０】
その後、ユーザが音楽再生装置１の操作部１４又はヘッドフォン２の操作部２４で音声データ１１ｆのストリーミング再生を指示する入力操作を行うと、音楽再生装置１の符号化プログラム１１ｃが符号化したデータ信号は、無線通信部１２からヘッドフォン２に送信される。ヘッドフォン２は、無線通信部２２でデータ信号を受信し、これが復号化プログラム２１ｃにより復号化されて音声信号となり、スピーカ２３から音声として出力される。
【００６１】
これによりユーザは、音楽再生装置１の記憶する音声データ１１ｆをヘッドフォン２のスピーカ２３で視聴することができる。
続いて、図５乃至図７を参照しながら、音楽再生装置１の処理の流れについて説明する。図５及び図６は、音楽再生装置１の処理の流れを示すフローチャートである。尚、図５のフローチャートの開始時点において、音楽再生装置１とヘッドフォン２との間のＡＶＲＣＰ及びＡ２ＤＰによるＢｌｕｅｔｏｏｔｈ通信接続は既に確立しており、且つ、音声データ１１ｆの再生開始前であるものとする。
【００６２】
尚、本実施例では音声データ１１ｆをストリーミングデータとして送信する送信側の機器（音声再生装置１）が主導権を取ってストリーミングデータの伝送制御を行っているが、受信側の機器（ヘッドフォン２）が主導権を取って伝送制御を行っても良い。
【００６３】
図５の処理では、ヘッドフォン２に送信するデータ信号の符号化形式の選択を行うので、つまりは音声データ１１ｆの再生開始前に符号化形式の選択を行うこととなる。再生開始前に消費電力に基づいて符号化形式の選択を行うことで、途中からしかこのような符号化形式の選択を行わない場合と比べて消費電力の低減を図ることにより通信可能時間を長くすることができる。
【００６４】
まず、符号化形式選択プログラム１１ｄは、ヘッドフォン２からバッテリ２５の残量情報及び符号化形式別消費電力情報２１ｄを受信したか否かを判断する（Ｓ５０１）。もしこれらの情報をヘッドフォン２からまだ受信していない場合には（Ｓ５０１のＮｏ）、無線通信制御プログラム１１ｂは無線通信部１２を制御し、バッテリ２５の残量情報及び符号化形式別消費電力情報２１ｄの取得要求をヘッドフォン２へ送信する（Ｓ５０２）。
【００６５】
ヘッドフォン２はその取得要求に応じて、電力制御プログラム２１ａでバッテリ２５の残量を検出し、無線通信制御プログラム２１ｂは無線通信部２２を制御し、バッテリ２５の残量情報を符号化形式別消費電力情報２１ｄと共に音楽再生装置１へ送信する。
【００６６】
尚、先述の通り本実施例ではこれらの情報はＡＶＲＣＰのＶｅｎｄｅｒ  Ｕｎｉｑｕｅコマンド若しくはＶｅｎｄｅｒ  ｄｅｐｅｎｄｅｎｔコマンドでやり取りするものとする。
【００６７】
ヘッドフォン２からバッテリ２５の残量情報及び符号化形式別消費電力情報２１ｄを受信した後（Ｓ５０１のＹｅｓ又はＳ５０２）、電力制御プログラム１１ａはバッテリ１５の残量を検出し、バッテリ１５の残量情報を符号化形式選択プログラム１ｄに渡す（Ｓ５０３）。また、符号化形式選択プログラム１１ｄは符号化形式別消費電力情報１１ｅを読み込む。
【００６８】
次に、符号化形式選択プログラム１１ｄは、ヘッドフォン２が対応する符号化形式、即ち符号化方式及び符号化パラメータの情報をヘッドフォン２から受信済みか否かを判断する（Ｓ５０４）。通常Ａ２ＤＰでは、ストリーミングデータの送信に先立って制御チャネル上で実行されるネゴシエーションで、対応する符号化方式や符号化パラメータの情報を取得することができるので、このときに取得していた情報を記憶していれば、Ｓ５０４の処理はＹｅｓとなる。
【００６９】
もし、Ｓ５０４でヘッドフォン２が対応する符号化方式と符号化パラメータの情報とを未取得の場合には（Ｓ５０４のＮｏ）、無線通信制御プログラム１１ｂはヘッドフォン２からこれらの情報の取得要求を無線通信部１２から送信する（Ｓ５０５）。
【００７０】
ヘッドフォン２の無線通信制御プログラム２１ｂは、この取得要求に応じて、復号化プログラム２１ｃの対応する符号化方式及び符号化パラメータの情報を無線通信部２２から音楽再生装置１へ送信する。
【００７１】
Ｓ５０４のＹｅｓ、又はＳ５０５の処理の後、無線通信制御プログラム１１ｂは、バッテリ１５又はバッテリ２５の両方がストリーミング伝送を継続可能なバッテリ残量を有するか否かを判断する（図６のＳ５０６）。もし、バッテリ１５又はバッテリ２５の少なくとも一方はストリーミング伝送を継続可能なバッテリ残量に満たない場合には（Ｓ５０６のＹｅｓ）、無線通信制御プログラム１１ｂは、無線通信部１２とヘッドフォン２との間の無線接続を切断する（Ｓ５０７）。
【００７２】
Ｓ５０６で、バッテリ１５及びバッテリ２５の双方がストリーミング伝送を継続可能なバッテリ残量を有する場合には（Ｓ５０６のＮｏ）、符号化形式選択プログラム１１ｄは、バッテリ１５の残量情報、バッテリ２５の残量情報、符号化形式別消費電力情報１１ｅ、符号化形式別消費電力情報２１ｄを元に、無線通信システム１００全体の予測通信可能時間が最大となる組み合わせの符号化形式（符号化方式及び符号化パラメータ）を決定する。Ｓ５０８の処理については、図７を参照しながら後に詳述する。
【００７３】
Ｓ５０８でデータ信号の符号化形式を決定した後、符号化形式選択プログラム１１ｄは、Ｓ５０８で決定した符号化形式が前回判断時から変更されたか否か、即ち現在符号化プログラム１１ｃが符号化演算を行っている符号化形式と同じか否かを判断する（Ｓ５０９）。ここで、符号化プログラム１１ｃがまだ音声データ１１ｆの符号化演算処理の開始前であれば、Ｓ５０９の判断はＹｅｓとする。
【００７４】
もし、符号化形式が異なる場合には（Ｓ５０９のＹｅｓ）、符号化形式選択プログラム１１ｄは、符号化プログラム１１ｃが現在符号化演算処理を行っているのは音声データ１１ｆの区切りか否か、即ち曲の途中か否かを判断する（Ｓ５１０）。尚ここで、符号化プログラム１１ｃがまだ音声データ１１ｆの符号化演算処理の開始前であれば、Ｓ５１０の判断はＮｏとする。
【００７５】
曲の途中であれば（Ｓ５１０のＹｅｓ）、符号化プログラム１１ｃで符号化演算処理中の音声データ１１ｆの区切りになるまで、即ち再生中の曲が終了するまで待つ（Ｓ５１１）。
【００７６】
符号化プログラム１１ｃが音声データ１１ｆの符号化演算処理を行う位置が曲の区切りであれば（Ｓ５１１、又はＳ５１０のＮｏ）、符号化プログラム１１ｃは符号化演算処理を一時中断する（Ｓ５１２）。さらに無線通信制御プログラム１１ｂは、符号化形式選択プログラム１１ｄで選択した符号化形式での音声データのストリーミング伝送を行うためのＡ２ＤＰ設定処理をヘッドフォン２との間で行う。
【００７７】
無線通信部１２とヘッドフォン２との間のＡ２ＤＰ設定処理終了後、符号化形式選択プログラム１１ｄで選択した符号化形式のデータ信号を作成する符号化演算処理を符号化プログラム１１ｃは再開し、無線通信制御プログラム１１ｂは無線通信部１２を介した当該データ信号のヘッドフォン２へのストリーミング伝送を再開する。
【００７８】
データ信号の符号化形式を変える場合にはヘッドフォン２側での復号化処理も変わるので、符号化形式が変化する場合には、通常一時的に符号化演算処理を停止する必要がある。特にＢｌｕｅｔｏｏｔｈのＡ２ＤＰであれば、符号化形式毎に異なる論理接続ポイントに接続し直す必要がある。本実施例では、音声データ１１ｆの区切り（例えば、音声データが１曲毎の形式で記憶されている場合はデータの区切りは曲の区切りに等しい）で符号化演算処理を停止し、この再設定処理を行うので、符号化方式変更のために曲の途中で再生が突然止まることによりユーザが感じる不快感を軽減することができる。
【００７９】
尚言うまでもないが、符号化プログラム１１ｃがまだ音声データ１１ｆの符号化演算処理開始前、即ち音声データ１１ｆの再生開始前であれば、ストリーミング伝送の中断処理は不要である。
【００８０】
ストリーミング伝送の再開後、電力制御プログラム１１ａは、ヘッドフォン２からバッテリ２５の残量情報を再度受信したか否かを判断する（Ｓ５１３）。もしこれらの情報をヘッドフォン２から受信していない場合には（Ｓ５１３のＮｏ）、無線通信制御プログラム１１ｂは無線通信部１２を制御し、バッテリ２５の残量情報の取得要求をヘッドフォン２へ送信する（Ｓ５１４）。
【００８１】
ヘッドフォン２はその取得要求に応じて、電力制御プログラム１１ａでバッテリ２５の残量を検出し、無線通信制御プログラム２１ｂは無線通信部２２を制御し、バッテリ２５の残量情報を音楽再生装置１へ送信する。
【００８２】
尚、先述の通り本実施例ではバッテリの残量情報はＡＶＲＣＰのＶｅｎｄｅｒ  Ｕｎｉｑｕｅコマンド若しくはＶｅｎｄｅｒ  ｄｅｐｅｎｄｅｎｔコマンドでやり取りするものとする。
【００８３】
ヘッドフォン２からバッテリ２５の残量情報を受信した後（Ｓ５１３のＹｅｓ又はＳ５１４）、電力制御プログラム１１ａはバッテリ１５の残量を検出する（Ｓ５１５）。
【００８４】
電力制御プログラム１１ｄは、自装置のバッテリ１５若しくはヘッドフォン２のバッテリ２５のバッテリ残量が当初見込みに比べ、大幅に変化したか否かを判断する（Ｓ５１６）。より具体的には、例えば前回の符号化形式変更時から予測されたバッテリ残量に比べ、ある一定値以上バッテリが減少しているか否かである。
【００８５】
Ｓ５１６の判断でバッテリ１５の残量が大幅に変化していた場合には（Ｓ５１６のＹｅｓ）、符号化形式を再度選択するため、Ｓ５０６へ戻る。
もし、バッテリ残量が当初見込みとそれ程変化がなければ（Ｓ５１６のＮｏ）、電力制御プログラム１１ａは、音楽再生装置１又はヘッドフォン２電力供給源が変化したか否かを判断する（Ｓ５１７）。即ち、音楽再生装置１に関していえば、Ｓ５０８で符号化形式を選択した時点でバッテリ１５が電力供給していた場合には、電力制御プログラム１１ａは外部電源入力端子１６が外部電源３に接続されたか否かを判断する。同様に、Ｓ５０８で符号化形式を選択した時点で外部電源入力端子１６が外部電源３に接続されていた場合には、電力制御プログラム１１ａは外部電源入力端子１６が外部電源３との接続を切断され、バッテリ１５が電力供給を開始したか否かを判断する。
【００８６】
尚、本実施例では図示していないが、ヘッドフォン２が外部電源から電力供給可能な場合にも、Ｓ５１７の判断はＹｅｓとなる。
もし、電力供給源が変化していなければ（Ｓ５１７のＮｏ）、Ｓ５０８で選択した符号化形式のまま、音楽再生装置１はヘッドフォン２への音声データ１１ｆのデータ信号のストリーミングを継続し、Ｓ５１３へ戻る。
【００８７】
Ｓ５１７の判断でもし電力供給源が変化していれば（Ｓ５１７のいぇｓ）、Ｓ５０６へ戻り、再度符号化方式の選択処理を行う（Ｓ５１７のＹｅｓ）。
音楽再生装置１の電力供給源が外部電源３の場合には、自装置の通信可能時間は無限大とみなせばよく、ヘッドフォン２の通信可能時間だけを考慮して符号化形式を選択すれば良い。一方、音楽再生装置１の電力供給源がバッテリ１５の場合には、自装置のバッテリ１５及びヘッドフォン２のバッテリ２５の両方を含めた無線通信システム１００全体での通信可能時間を考慮して符号化形式を選択しなければならない。
【００８８】
本実施例では、Ｓ５１７で電力供給源の変化に応じて符号化形式を選択し直すので、状況に応じて柔軟に符号化形式を選択することができる。
尚、本実施例ではＳ５０１乃至Ｓ５１２の符号化形式の選択処理を、音声データ１１ｆの再生（符号化演算）開始前、及び電力供給源の変化時、バッテリ残量の大幅な変化時に行うようにしているが、これに限られるものではない。例えば、一定時間毎に定期的にＳ５０６乃至Ｓ５１２の処理を行うようにしても良い。
【００８９】
図７は、図６のＳ５０８の処理の詳細を示すフローチャートである。
まず、符号化形式選択プログラム１１ｄは、音楽再生装置１及びヘッドフォン２の両方が対応する符号化形式について、其々の装置の予測通信可能時間を計算する（Ｓ６０１）。
【００９０】
ここで、其々の装置の予測通信可能時間は、其々が有するバッテリの残量を、当該符号化形式に対する単位時間当たりの消費電力で除算すれば、当該符号化形式のデータ信号での予測通信可能時間を算出することができる。言うまでもないが、音楽再生装置１の外部電源入力端子１６が外部電源３に接続されている場合には、音楽再生装置１の予想通信可能時間は、どの符号化形式であっても無限大となる。
【００９１】
次に、符号化形式選択プログラム１１ｄは、無線通信システム１００全体としての通信可能時間を、各符号化形式に対して求める（Ｓ６０２）。システム全体としての通信可能時間は、当該符号化形式に対する音楽再生装置１の予測通信可能時間及びヘッドフォン２の予測通信可能時間のうち、短い方の値となる。
【００９２】
音楽再生装置１の外部電源入力端子１６が外部電源３に接続されている場合には、先述の通りどの符号化形式であっても音楽再生装置１の予想通信可能時間が無限大となるので、無線通信システム１００全体としての予測通信可能時間は、ヘッドフォン２の予測通信可能時間と常に一致する。
【００９３】
さらに、符号化形式選択プログラム１１ｄは、無線通信システム１００全体としての予測通信可能時間が最も長い符号化形式を選択する（Ｓ６０３）。
以上説明したように、本実施例の音楽再生装置１は、通信相手であるヘッドフォン２のバッテリ残量及び消費電力情報と、自装置のバッテリ残量及び消費電力情報とを統合的に扱い、無線通信システム１００全体としてみた場合のバッテリ残量に応じたデータ送信制御を適切に行うことができる。
【００９４】
また、無線接続された時に其々の装置のバッテリ残量がどのような状態であっても、音楽再生装置１とヘッドフォン２とのバッテリ残量情報を更新して最適な方法を選択することができるので、其々の装置が自装置に対してのみ制御していた場合と比べ、総合的な通信可能時間を延ばすことができ、ユーザの利便性を向上させることができる。
【００９５】
尚、本実施例では音楽再生装置１は他の装置であってもよく、ヘッドフォン２もワイヤレスヘッドフォンに限られるものではなく、他の種類の装置であってもよい。また、本実施例では伝送しているデータ信号は音楽データにかかるものだがこれに限られるものではなく、例えば映像データをストリーミングデータとしても良い。
【図面の簡単な説明】
【００９６】
【図１】本発明の実施例１に係る無線通信システムの構成例を示す図。
【図２】本発明の実施例１に係る音楽再生装置の構成例を示す図。
【図３】本発明の実施例１に係る無線通信システムのヘッドフォンの構成例を示す図。
【図４】本発明の実施例１に係る音楽再生装置が有する符号化形式別の消費電力情報の例を示す図。
【図５】本発明の実施例１に係る音楽再生装置の処理の流れを示す図。
【図６】本発明の実施例１に係る音楽再生装置の処理の流れを示す図。
【図７】本発明の実施例１に係る音楽再生装置の処理の流れを示す図。
【符号の説明】
【００９７】
１・・・音楽再生装置
２・・・ヘッドフォン
１０・・・制御部
１１・・・記憶部
１１ａ・・・電力制御プログラム
１１ｂ・・・無線通信制御プログラム
１１ｃ・・・符号化プログラム
１１ｄ・・・符号化形式選択プログラム
１１ｅ・・・符号化形式別消費電力情報
１１ｆ・・・音声データ
１２・・・無線通信部
１３・・・表示部
１４・・・操作部
１５・・・バッテリ
１６・・・外部電源入力端子
２０・・・制御部
２１・・・記憶部
２１ａ・・・電力制御プログラム
２１ｂ・・・無線通信制御プログラム
２１ｃ・・・複合化プログラム
２１ｄ・・・符号化形式別消費電力情報
２２・・・無線通信部
２３・・・スピーカ
２４・・・操作部
２５・・・バッテリ
１００・・・無線通信システム
【図１】
0005170972.tif 000002
【図２】
0005170972.tif 000003
【図３】
0005170972.tif 000004
【図４】
0005170972.tif 000005
【図５】
0005170972.tif 000006
【図６】
0005170972.tif 000007
【図７】
0005170972.tif 000008